(57)【要約】【課題】  誰でも短時間で製作することができるとともに、軽くてオリジナル性に富んだビーズアクセサリーを制作することができるビーズアクセサリ製作キットを提供する。【解決手段】  貫通孔１ａが形成された複数個の装飾用ビーズ１と、この装飾用ビーズ１の貫通孔１ａに挿通される筒状紐部材２と、この筒状紐部材２の内部に挿入される複数個の発泡体３とを備え、筒状紐部材２は、少なくとも径方向に伸縮可能な布地により形成されている。【選択図】図１
2012217714.tif 000002
【特許請求の範囲】
【請求項１】
貫通孔が形成された複数個の装飾用ビーズと、この装飾用ビーズの上記貫通孔に挿通される筒状紐部材と、この筒状紐部材の内部に挿入される複数個の発泡体とを備え、
上記筒状紐部材は、少なくとも径方向に伸縮可能な布地により形成されていることを特徴とするビーズアクセサリー製作キット。
【請求項２】
上記筒状紐部材は、径方向および軸線方向に伸縮可能な布地により形成されていることを特徴とする請求項１に記載のビーズアクセサリー製作キット。
【請求項３】
上記発泡体は、球状に形成されているとともに、発泡スチロールにより形成されていることを特徴とする請求項１または２に記載のビーズアクセサリー製作キット。
【発明の詳細な説明】
【技術分野】
【０００１】
本発明は、ビーズアクセサリーを製作するためのビーズアクセサリー製作キットに関するものである。
【背景技術】
【０００２】
一般にビーズは、ネックレスやブレスレットまたは携帯電話のストラップといったアクセサリーなどに用いられている。このアクセサリー用のビーズは、ガラス玉やプラスチック玉からなり、中心に貫通孔が形成され、この貫通孔に紐や糸を挿通させることにより、ネックレスやブレスレットまたは携帯電話のストラップとして商品化されている。
【０００３】
一方、ビーズアクセサリーは、簡単に製作することができることから、女性を中心に
オリジナル性に富んだビーズアクセサリーを製作する人が増えてきている。このため、アクセサリー用の上記ビーズは、様々の色や形のものが数多く販売されており、好みに合わせて購入することが可能となっている。
【０００４】
しかし、上記ビーズを単体で購入して製作する場合、上記ビーズに形成された貫通孔は、主に細い紐や糸などを通すことを前提としているため、孔の径が小さい。このため、上記ビーズを数多く必要とするネックレスを製作する場合には、時間や手間が掛かり、目や指先の弱った高齢者にとって、製作自体の意欲が削がれてしまうという問題がある。
【０００５】
さらに、上記ビーズを多数連ねた上記ネックレスを製作する場合、特に派手なアクセサリーを好む高齢者においては、大きめの上記ビーズを使用することが多いため、ネックレス自体が重くなってしまい、長時間身につけていると首や肩に負担が掛かってしまう。その結果、高齢者においては、派手なネックレスを時間を掛けて製作しても、身につけることを敬遠してしまうという問題もある。
【発明の概要】
【発明が解決しようとする課題】
【０００６】
本発明は、かかる事情に鑑みてなされたもので、誰でも短時間で製作することができるとともに、軽くてオリジナル性に富んだビーズアクセサリーを制作することができるビーズアクセサリ製作キットを提供することを課題とするものでる。
【課題を解決するための手段】
【０００７】
上記課題を解決するために、請求項１に記載の発明は、貫通孔が形成された複数個の装飾用ビーズと、この装飾用ビーズの上記貫通孔に挿通される筒状紐部材と、この筒状紐部材の内部に挿入される複数個の発泡体とを備え、上記筒状紐部材は、少なくとも径方向に伸縮可能な布地により形成されていることを特徴とするものである。
【０００８】
また、請求項２に記載の発明は、請求項１に記載の発明において、上記筒状紐部材は、径方向および軸線方向に伸縮可能な布地により形成されていることを特徴とするものである。
【０００９】
そして、請求項３に記載の発明は、請求項１または２に記載の発明において、上記発泡体は、球状に形成されているとともに、発泡スチロールにより形成されていることを特徴とするものである。
【発明の効果】
【００１０】
請求項１〜３に記載の本発明によれば、筒状紐部材を装飾用ビーズの貫通孔に挿通させるとともに、この筒状紐部材の内部に発泡体を挿入してビーズアクセサリーを製作するため、数多くの上記装飾用ビーズを必要とするネックレスの場合でも、上記筒状紐部材に挿通させる上記装飾用ビーズの数を減らすことができるとともに、上記筒状紐部材に内包された上記発泡体により、上記筒状紐部材に施されている色や柄を前面に引き出すことができ、オリジナル性に富んだビーズアクセサリーを製作することができる。これにより、目や指先の弱った高齢者でも、好みに合ったビーズアクセサリーを短時間で製作することができるとともに、大きめの上記装飾用ビーズを使用した場合でも、上記ネックレス自体の重量を軽くすることができ、長時間身につけていても、身体への負担を軽減させることができる。
【００１１】
また、上記筒状紐部材が、少なくとも径方向に伸縮可能な布地により形成されているため、上記筒状紐部材の内部に上記発泡体を挿入して、任意の位置に移動させる際に、上記筒状紐部材の伸縮により、上記発泡体の挿入および移動をスムーズに行うことができる。この結果、より短時間でビーズアクセサリーを製作することができる。
【００１２】
請求項２に記載の発明によれば、上記筒状紐部材が、径方向および軸線方向に伸縮可能な布地により形成されているため、上記装飾用ビーズおよび上記発泡体を所定の位置に移動させる際に、上記筒状紐部材の伸縮により、上記筒状紐部材に弛みができないように、上記装飾用ビーズおよび上記発泡体を所定の位置に移動させて配設することができるとともに、上記筒状紐部材の端部同士を結んで環状にした際に、結び目を解けにくくすることができる。
【００１３】
請求項３に記載の発明によれば、上記発泡体が、球状に形成されているとともに、発泡スチロールにより形成されているため、上記筒状紐部材の開口部から上記発泡体を挿入しやすいとともに、上記発泡体の球面に沿って、上記筒状紐部材に施されている色や柄を前面に引き出すことができ、かつより軽いビーズアクセサリーを製作することができる。
【図面の簡単な説明】
【００１４】
【図１】本発明のビーズアクセサリー制作キットの一実施形態を示す斜視図である。
【図２】（ａ）〜（ｋ）は、本発明のビーズアクセサリー製作キットによりネックレスを製作する一連の手順を示す模式図である。
【図３】（ａ）〜（ｄ）は、本発明のビーズアクセサリー製作キットによりネックレスを製作する一連の手順の図１の続きを示す模式図である。
【図４】図２〜図３の手順に沿って製作したネックレスの端部同士の接続方法を示し、（ａ）〜（ｆ）は長さ調整が可能な結び方の模式図、（ｇ）は蝶結びの模式図である。
【図５】図２〜図４の手順に沿って製作したネックレスの使用状態を示す斜視図である。
【発明を実施するための形態】
【００１５】
図１に示すように、本発明のビーズアクセサリー制作キット４は、ネックレスを製作するものであり、一端部２ａが開口された筒状紐部材２と、貫通孔１ａが形成されたｎ固（図では、１５個）の装飾用ビーズ１と、ｎ−１固（図では、１４個）の発泡体３とを備えている。
【００１６】
ここで、筒状紐部材２は、帯状の２ｗａｙトリコット布地の短手方向の端部同士を縫い合わせ、径方向および軸線方向に伸縮可能に形成されているとともに、一端部２ａが開口され、かつ他端部２ｂが縫い合わされて閉塞されている。また、筒状紐部材２は、一般の女性が首に掛けて、一端部２ａと他端部２ｂとを結んでも、余裕のある長さ寸法、例えば、１２０ｃｍである。
なお、図では無地の布地が記載されているが、色や柄が施された２ｗａｙトリコット布地を使用している。
【００１７】
そして、装飾用ビーズ１は、木材、ガラス、プラスチックの何れかを用いるとともに、球状に形成されている。この装飾用ビーズ１は、購入者が自分に合った色を選択できるように、ビーズアクセサリー製作キット４ごとに様々な色のものが用意されている。また、装飾用ビーズ１の中心に形成された貫通孔１ａは、筒状紐部材２を挿通させるため、通常の装飾用ビーズに形成されている貫通孔の径よりも大きく形成されている。
【００１８】
さらに、発泡体３は、発泡スチロールにより形成されているとともに、球状に形成されている。また、発泡体３は、装飾用ビーズ１の径よりも大きく形成されている。発泡体３を装飾用ビーズ１よりも大きく形成することにより、筒状紐部材２に施されている色や柄または質感を発泡体３の球面に沿って前面に引き出すことができる。
【００１９】
以上の構成によるビーズアクセサリー制作キット４を用いて、ネックレスを製作するには、まず、図２（ａ）および（ｂ）に示すように、長さ寸法１２０ｃｍの筒状紐部材２の開口されている一端部２ａをハサミで斜めにカットする。そして、図２（ｃ）および（ｄ）に示すように、このカット部の先端に、セロハンテープを巻き付け、装飾用ビーズ１の貫通孔１ａに通し易いようにする。この際、セロハンテープは、上記カット部の先端のみに巻き付け、上記カット部に発泡体３が入る開口部を確保する。
【００２０】
そして、図２（ｅ）に示すように、装飾用ビーズ１の貫通孔１ａに、筒状紐部材２の一端部２ａを挿入して、筒状紐部材２を挿通させる。そして、図２（ｆ）に示すように、筒状紐部材２の一端部２ａを一方の手で押さえて、装飾用ビーズ１を他方の手で筒状紐部材２の他端部２ｂ側に移動させる。
【００２１】
次いで、図２（ｇ）に示すように、筒状紐部材２の一端部２ａの開口部から、発泡体３を挿入する。そして、図２（ｈ）に示すように、筒状紐部材２の一端部２ａを一方の手で押さえながら、筒状紐部材２の内部に挿入した発泡体３を、他方の手で他端部２ｂ側に移動させる。
【００２２】
そして、別の装飾用ビーズ１の貫通孔１ａに、図２（ｅ）および（ｆ）に示す通り、筒状紐部材２の一端部２ａを挿入して、筒状紐部材２を挿通させ、他端部２ｂ側に移動させる。さらに、別の発泡体３を筒状紐部材２の一端部２ａの上記開口部から挿入して、図２（ｈ）に示す通り、筒状紐部材２の他端部２ｂ側に移動させる。
【００２３】
このように、筒状紐部材３に装飾用ビーズ１を挿通した後に、発泡体３を挿入することを交互に行い、図２（ｉ）に示すように、１５個の装飾用ビーズ１の各々の間に、１４個の発泡体３が各々配置される。この際に、筒状紐部材２の一端部２ａ側の装飾用ビーズ１が、一端部２ａから３５ｃｍの位置に配設される。
【００２４】
また、図２（ｊ）および（ｋ）に示すように、装飾用ビーズ１と発泡体３を配設する際に、筒状紐部材２に撓みができないように、筒状紐部材２の一端部２ａ側を手でしっかりと押さえて、装飾用ビーズ１および発泡体３を他方の手で引っ張りながら移動させる。
【００２５】
そして、図３（ａ）に示すように、筒状紐部材２に配設された装飾用ビーズ１の中で、中心となる８番目の装飾用ビーズ１から、筒状紐部材２の一端部２ａ側に５０ｃｍの位置をハサミでカットする。そして、図３（ｂ）に示すように、このカットした一端部２ａ側を１ｃｍ内側に折り返して、図３（ｃ）に示すように、糸ｋと針ｈを用いてかがり縫いをして閉塞させる。
【００２６】
次に、図４（ａ）〜（ｃ）に示すように、筒状紐部材２の他端部２ｂを、一端部２ａと装飾用ビーズ１との間の筒状紐部材２に結びつける。そして、図４（ｄ）に示すように、筒状紐部材２の一端部２ａを、他端部２ｂと装飾用ビーズ１との間の筒状紐部材２に結びつける。これにより、図４（ｅ）および（ｆ）に示すように、筒状紐部材２の一端部２ａおよび他端部２ｂの各々の結び目を移動させることにより、ネックレスの長さを調整することができる。
なお、図４（ｇ）に示すように、筒状紐部材２の一端部２ａと他端部２ｂとを蝶結びにして、ネックレスの長さを調整することもできる。
【００２７】
そして、図５に示すように、装飾用ビーズ１と発泡体３を内包した部分の布地の色や柄の風合いとによって、オリジナル性に富んだネックレスを製作することができる。
【００２８】
上述の実施の形態によるビーズアクセサリー制作キット４によれば、筒状紐部材２を装飾用ビーズ１の貫通孔１ａに挿通させるとともに、この筒状紐部材２の内部に球状の発泡体３を挿入してビーズアクセサリーを製作するため、数多くの装飾用ビーズ１を必要とするネックレスの場合でも、筒状紐部材２に挿通させる装飾用ビーズ１の数を減らすことができるとともに、筒状紐部材２に内包された発泡体３の球面に沿って、筒状紐部材２に施されている色や柄を前面に引き出すことができ、オリジナル性に富んだビーズアクセサリーを製作することができる。これにより、目や指先の弱った高齢者でも、好みに合ったビーズアクセサリーを短時間で製作することができるとともに、大きめの装飾用ビーズ１を使用した場合でも、上記ネックレス自体の重量を軽くすることができ、長時間身につけていても、身体への負担を軽減させることができる。
【００２９】
また、筒状紐部材２が、径方向および軸線方向に伸縮可能な布地により形成されているため、筒状紐部材２の内部に発泡体３を挿入して、任意の位置に移動させる際に、筒状紐部材２の伸縮により、発泡体３の挿入および移動をスムーズに行うことができる。この結果、より短時間でビーズアクセサリーを製作することができる。
【００３０】
そして、筒状紐部材２が、径方向および軸線方向に伸縮可能な布地により形成されているため、装飾用ビーズ１および発泡体３を所定の位置に移動させて配設する際に、筒状紐部材２の伸縮により、筒状紐部材２に弛みができないように、装飾用ビーズ１および発泡体３を所定の位置に配設することができるとともに、筒状紐部材２の端部同士を結んで環状にした際に、結び目を解けにくくすることができる。
【００３１】
なお、上記実施の形態において、装飾用ビーズ１の形状を球状に形成した場合のみ説明したが、これに限定されるものでなく、例えば、キューブ状やフットボール状に形成しても対応可能である。
また、発泡体３の材質に発泡スチロールを用いる場合のみ説明したが、これに限定されるのでなく、例えば、材質に発泡ゴムを用いても対応可能である。
そして、発泡体３を球状に形成した場合のみ説明したが、これに限定されるものでなく、例えば、キューブ状やフットボール状に形成しても対応可能である。
【産業上の利用可能性】
【００３２】
ネックレスやブレスレットなどのビーズアクセサリーの製作に利用することができる。
【符号の説明】
【００３３】
１  装飾用ビーズ
１ａ  貫通孔
２  筒状紐部材
２ａ  一端部
２ｂ  他端部
３  発泡体
４  ビーズアクセサリー制作キット
【図１】
2012217714.tif 000003
【図２】
2012217714.tif 000004
【図３】
2012217714.tif 000005
【図４】
2012217714.tif 000006
【図５】
2012217714.tif 000007